(57)【要約】【課題】操作装置近傍における、動きを示さない人の存在を検出できるようにすること。【解決手段】浴室リモコン５において、タッチセンサは、静電容量の変化に基づいてスイッチ操作を検出する。人検知センサ５５は、人体の動きを検出するように構成された動き検出部を構成する。タッチセンサは、人検知センサ５５が人体の動きを予め定められた期間検出しなかったことに応じて、スイッチ操作を検出するときよりも高い感度で静電容量の変化を検出するように構成されている。【選択図】図３
2017198391.tif 000002
【特許請求の範囲】
【請求項１】
静電容量の変化に基づいてスイッチ操作を検出するように構成された操作検出部と、
人体の動きを検出するように構成された動き検出部とを備え、
前記操作検出部は、前記動き検出部が前記人体の動きを予め定められた期間検出しなかったことに応じて、前記スイッチ操作を検出するときよりも高い感度で静電容量の変化を検出するように構成され、前記人体を検出する、操作装置。
【請求項２】
前記動き検出部は、焦電型赤外線センサによって構成される、請求項１に記載の操作装置。
【請求項３】
前記操作検出部および前記動き検出部の検出出力に応じて、給湯装置を制御するための信号を出力するように構成された制御部をさらに備える、請求項１または請求項２に記載の操作装置。
【請求項４】
前記制御部は、
前記動き検出部が前記人体の動きを検出した場合には、前記給湯装置に所定の信号を送信し、
前記動き検出部が前記人体の動きを前記予め定められた期間検出しなかった場合において前記操作検出部にて前記人体を検出したときには、前記給湯装置に対して、前記所定の信号を送信するように構成されている、請求項３に記載の操作装置。
【請求項５】
静電容量の変化に基づいてスイッチ操作を検出するステップと、
人体の動きを検出するステップと、
前記人体の動きを検出するステップにおいて前記人体の動きを予め定められた期間検出しなかったことに応じて、前記スイッチ操作を検出するステップにおける感度よりも高い感度で静電容量の変化を検出し、前記人体を検出するステップとを備える、操作装置の制御方法。
【発明の詳細な説明】
【技術分野】
【０００１】
この発明は、操作装置およびその制御方法に関し、より特定的には、人の動きを検出するための検出部を備えた操作装置およびその制御方法に関する。
【背景技術】
【０００２】
従来、赤外線、電波、音波等を利用したセンサで人の動きを検知するセンサを備えたシステムが実用化されている。たとえば、特開２０１０−１８１１０１号公報（特許文献１）に開示された給湯機は、浴室への入浴者の入室を検出する人体検出手段を備え、人体検出手段の検出結果に基づいて浴槽内の湯水の加熱運転制御を変更する。
【先行技術文献】
【特許文献】
【０００３】
【特許文献１】特開２０１０−１８１１０１号公報
【発明の概要】
【発明が解決しようとする課題】
【０００４】
しかしながら、上記したような従来のシステムでは、入浴者が浴槽に浸かっている場合など、入浴者が浴室に存在している場合であっても、入浴者が動かなければ、浴室に入浴者が存在していないと判断され得る。このことから、システムは、入浴者が浴室内に居るにも拘わらず、浴室内に入浴者がいないときと同様の制御を実行する場合がある。
【０００５】
本開示は、かかる実情に鑑み考え出されたものであり、その目的は、操作装置近傍における、動きを示さない人の存在を検出できるようにすることである。
【課題を解決するための手段】
【０００６】
本開示のある局面に従うと、静電容量の変化に基づいてスイッチ操作を検出するように構成された操作検出部と、人体の動きを検出するように構成された動き検出部とを備える操作装置が提供される。操作検出部は、動き検出部が人体の動きを予め定められた期間検出しなかったことに応じて、スイッチ操作を検出するときよりも高い感度で静電容量の変化を検出するように構成され、人体を検出する。
【０００７】
好ましくは、動き検出部は、焦電型赤外線センサによって構成される。これにより、低消費電力で動き検出部を構成できる。
【０００８】
好ましくは、操作装置は、操作検出部および動き検出部の検出出力に応じて、給湯装置を制御するための信号を出力するように構成された制御部をさらに備える。これにより、給湯装置が、人が浴室等において動きを示さずに存在している場合であっても、人が存在していることに対応した制御を実行できるようになる。
【０００９】
好ましくは、制御部は、動き検出部が人体の動きを検出した場合には、給湯装置に所定の種類の信号を送信し、動き検出部が人体の動きを予め定められた期間検出しなかった場合において操作検出部にて人体を検出したときには、給湯装置に対して、所定の種類の信号を送信するように構成され、人体を検出する。これにより、制御部は、給湯装置に対して、動き検出部が人の動きを予め定められた期間検出しなかった場合であっても、操作検出部における静電容量の変化があったときには、動き検出部が人の動きを検出したときと同様の信号を出力することができる。
【００１０】
本開示の他の局面に従うと、静電容量の変化に基づいてスイッチ操作を検出するステップと、人体の動きを検出するステップと、人体の動きを検出するステップにおいて人体の動きを予め定められた期間検出しなかったことに応じて、スイッチ操作を検出するステップにおける感度よりも高い感度で静電容量の変化を検出し、人体を検出するステップとを備える。
【発明の効果】
【００１１】
本開示によれば、動き検出部が人の動きを検出したか否かに応じて、操作検出部が静電容量を検出する距離が変更される。
【図面の簡単な説明】
【００１２】
【図１】給湯システムが適用される浴室およびその近傍を模式的に示す図である。
【図２】給湯システムの構成を概略的に示す図である。
【図３】浴室リモコン５の外観の一例を示す図である。
【図４】給湯システムのハードウェア構成を概略的に示す図である。
【図５】浴室リモコン５のハードウェア構成を概略的に示す図である。
【図６】人検知センサ５５の検出出力と浴室リモコン５の動作モードとの対応の一例を説明するための図である。
【図７】制御部５０が、人検知センサ５５の検出出力に基づいて浴室リモコン５の動作モードを制御するために実行する処理のフローチャートを示す。
【発明を実施するための形態】
【００１３】
以下に、本開示の実施の形態について図面を参照して詳細に説明する。以下では図中の同一または相当部分には同一符号を付してその説明は原則的に繰返さないものとする。
【００１４】
本実施の形態に係る操作装置は、種々の機器の操作の受付に適用することができる。本明細書では、一例として、給湯システムにおいて給湯装置を制御するための操作を受け付ける操作装置が説明される。
【００１５】
［１．給湯システムの構成］
図１は、給湯システムが適用される浴室およびその近傍を模式的に示す図である。図１には、浴室３と、脱衣場１とが示されている。浴室３と脱衣場１は、開閉扉２によって仕切られている。給湯システムは、浴室３に配置された浴槽４に加熱水を供給する。浴室３において、浴槽４より僅かに上側位置の壁面３２には、操作装置の一例である浴室リモコン５が設置されている。
【００１６】
図２は、給湯システムの構成を概略的に示す図である。図２に示されるように、給湯システムは、浴槽４と給湯機７とを接続する循環配管７１を備える。給湯機７は、浴室３外に設置されている。給湯機７において加熱された水（湯）は、循環配管７１を介して、浴槽４へ供給される。給湯機７は、給湯機能の他に、風呂追焚機能と注湯機能とを有する。各機能について、簡単に説明する。
【００１７】
給湯機能は、外部から導入された水道水等の水を、給湯機７内の熱交換器によって加熱する。より具体的には、給湯機７は、バーナを備える。導入された水は、熱交換器を通過する間にバーナの燃焼熱によって所定の給湯設定温度まで加熱されて、出力される。加熱された水は、たとえばカランに給湯される。
【００１８】
注湯機能は、浴槽４に湯を張る。注湯機能は、外部から導入された水道水等の水を、給湯機能と同様に熱交換器によって加熱した後、注湯弁の開閉切換制御により循環配管７１を通して浴槽４へ供給する。
【００１９】
風呂追焚機能は、循環配管７１を介して、浴槽４内の湯を、浴槽４と給湯機７との間で循環させる。浴槽４内の湯は、給湯機７内の「液−液熱交換器」で加熱されて、浴槽４へと戻される。
【００２０】
給湯機７は、給湯機能、風呂追焚機能、および、注湯機能における給湯システムの動作を制御するためのシステムコントローラ７００を備える。システムコントローラ７００は、浴室リモコン５と通信可能に構成されている。これらの機器の間の通信のそれぞれは、公知のいかなる規格に従ったものであってもよく、また、有線であっても無線であっても良い。
【００２１】
［２．浴室リモコンの外観］
図３は、浴室リモコン５の外観の一例を示す図である。浴室リモコン５は、浴槽４に入浴した状態で操作できるように、浴槽４の上端縁から僅かな距離Ｕ（例えばＵ＝１０〜２０ｃｍ程度）だけ上方位置に設置されている。
【００２２】
浴室リモコン５は、浴室３に設置されるために、プラスチック等の耐水性の素材からなる外殻部５Ａを含む。浴室リモコン５は、さらに、タッチパネル５１と、スピーカ５３と、マイク５４と、人検知センサ５５と、操作ボタン５６とを含む。
【００２３】
タッチパネル５１は、ソフトウェアボタン５１Ａ，５１Ｂを表示する。操作ボタン５６は、４個のハードウェアボタン（運転ボタン５６Ａ、呼出ボタン５６Ｂ、追いだきボタン５６Ｃ、および、ふろ自動ボタン５６Ｄ）を含む。運転ボタン５６Ａは、給湯システムの運転のオン／オフを切り替えるために操作される。呼出ボタン５６Ｂは、浴室３以外の場所に設置されたコントローラにおける応答を求めるために操作される。追いだきボタン５６Ｃは、風呂追炊機能のオン／オフするために操作される。ふろ自動ボタン５６Ｄは、給湯機能のオン／オフするために操作される。
【００２４】
［３．給湯システムのハードウェア構成］
図４は、給湯システムのハードウェア構成を概略的に示す図である。図４に示されるように、システムコントローラ７００は、ＣＰＵ（Central  Processing  Unit）７０１と、メモリ部７０２と、タイマ７０３と、入力装置７０４と、出力装置７０５と、インタフェース７０６とを含む。
【００２５】
ＣＰＵ７０１は、浴室リモコン５からの出力を受け付ける。ＣＰＵ７０１は、また、メモリ部７０２に格納されたプログラムを実行することにより、給湯機７の動作を制御する。図４において示されるように、給湯機７は、給湯機能を実現する給湯回路１０１と、風呂追炊機能を実現する風呂追焚回路１０２と、注湯機能を実現する注湯回路１０３とを含む。ＣＰＵ７０１は、給湯回路１０１、風呂追焚回路１０２、および、注湯回路１０３のそれぞれを制御する。
【００２６】
［４．浴室リモコンのハードウェア構成］
図５は、浴室リモコン５のハードウェア構成を概略的に示す図である。図５に示されるように、浴室リモコン５は、制御部５０を含む。制御部５０は、たとえば、ＣＰＵ等のプロセッサと、当該プロセッサによって実行されるプログラムを記憶するメモリとを含み、当該プロセッサがプログラムを実行することによって実現される処理によって浴室リモコン５の動作を制御する。
【００２７】
タッチパネル５１は、タッチセンサ５１１と表示パネル５１２とを含む。タッチセンサ５１１は、表示パネル５１２において表示されたソフトウェアボタン（たとえば、図３のソフトウェアボタン５１Ａ，５１Ｂ）が操作されたことを検出した場合、予め定められた信号を制御部５０へ出力する。タッチセンサ５１１は、タッチ操作を受け付ける公知のタッチセンサであれば、いかなる方式のものであってもよい。表示パネル５１２は、たとえばＬＣＤ（液晶ディスプレイ）によって構成されるが、他のいかなる表示装置によって構成されてもよい。
【００２８】
人検知センサ５５は、浴室リモコン５から予め定められた範囲における人の動きを検出し、たとえば焦電型赤外線センサによって構成される。
【００２９】
制御部５０は、タッチセンサ５１１、マイク５４、人検知センサ５５、および、操作ボタン５６からの入力を受け付ける。制御部５０は、表示パネル５１２およびスピーカ５３の動作を制御する。
【００３０】
タッチセンサ５１１は、タッチ操作だけでなく、当該タッチセンサ５１１における物体の動きを検出し得る。より具体的には、タッチセンサ５１１は、タッチ操作による静電容量の変化を検出し、当該変化があった当該静電容量の変化があった座標を制御部５０へ出力する。さらに、タッチセンサ５１１は、当該静電容量の変化の検出に関する感度が比較的高い状態では、当該タッチセンサ５１１に物体が近づいたことを検出し得る。タッチセンサ５１１の感度は、たとえば、タッチセンサ５１１に供給される静電容量を増やすことによって高められてもよいし、静電容量の変化があったとことが判断される閾値を下げることによって高められてもよい。タッチセンサ５１１では、検出の感度が高められることにより、タッチセンサ５１１が静電容量の変化を検出することができる（表示パネル５１２からの）距離が長くなる。
【００３１】
［５．給湯システムの動作］
給湯システムでは、浴室リモコン５は、２種類の情報（浴室リモコン５周辺における人の動き、タッチパネル５１におけるタッチ操作）を検出する。システムコントローラ７００は、浴室リモコン５からの検出出力に基づいて給湯機７を制御する。システムコントローラ７００は、たとえば、浴室リモコン５が浴室３における人の動きを検出している間、風呂追炊機能によって浴槽４内の湯温を予め定められた温度に保つように給湯機７を制御し、浴室リモコン５が浴室３における人の動きを予め定められた期間以上検出しない場合には風呂追焚機能を停止するように給湯機７を制御する。
【００３２】
給湯システムにおいて、人の動きは、基本的に人検知センサ５５によって検出される。ただし、人検知センサ５５が焦電型赤外線センサによって実現される場合、浴室３で人が静止していると、人検知センサ５５は人の動きを検出できない。浴室３において、人が比較的長時間浴槽４に浸かっている場合など、人が比較的長時間静止した場合、システムコントローラ７００は、風呂追炊機能を実現させるべきであるにもかかわらず、当該機能を停止させる場合があり得る。
【００３３】
そこで、給湯システムでは、人検知センサ５５が予め定められた期間継続して人の動きを検出しない場合、浴室リモコン５が、当該浴室リモコン５近傍における人の存在の有無を検出する。より具体的には、浴室リモコン５は、タッチパネル５１（タッチセンサ５１１）に対するタッチ操作を検出する通常モードと、通常モードに対してタッチパネル５１（タッチセンサ５１１）における静電容量の変化の検出距離を長くすることによりタッチパネル５１（タッチセンサ５１１）から所与の範囲内における人の存在の有無を検出する待機モードとにおいて、動作し得る。待機モードでは、浴室リモコン５は、たとえば、タッチパネル５１（タッチセンサ５１１）から数十センチ程度の範囲内における人の有無の存在を検出する。
【００３４】
ここで「予め定められた期間継続して」とは、人検知センサ５５が特定時間ごとに人の動きの有無を検出するように構成されている場合には、予め定められた期間分の連続した回数の検出出力が判断対象となることを意味してもよい。たとえば、人検知センサ５５が、１０秒に１回の頻度で、人の動きの有無を検出するように構成されている場合、連続した６回分（または、７回分）の検出出力のすべてが人の動いていないことを示すものであることが、「１分間継続して人の動きを検出しない」ことに相当する。
【００３５】
［６．人検知センサの出力と動作モード］
図６は、人検知センサ５５の検出出力と浴室リモコン５の動作モードとの対応の一例を説明するための図である。図６には、浴室リモコン５の動作モードとして、上記された通常モードと待機モードに加え、省電力モードが示されている。浴室リモコン５の動作モードについて、詳細に説明する。
【００３６】
（１）通常モード
タッチセンサ５１１は、タッチパネル５１に対するタッチ操作を検出する。つまり、タッチセンサ５１１がタッチパネル５１表面の静電容量の変化を検出するように、タッチセンサ５１１の検出距離が調整される。すなわち、通常モードでは、タッチセンサ５１１の静電容量の検出変化量は、タッチパネル５１においてタッチセンサ５１１が実装されている部分からタッチセンサ５１１表面程度の距離と設定される。
【００３７】
（２）待機モード
タッチセンサ５１１は、タッチパネル５１から所与の範囲内における人の存在の有無を検出する。すなわち、待機モードでは、タッチセンサ５１１の検出距離は所与の距離（たとえば、数十センチ程度）に調整される。すなわち、待機モードでは、タッチセンサ５１１の静電容量の検出変化量は、タッチパネル５１においてタッチセンサ５１１が実装されている部分から、タッチセンサ５１１表面から上記所与の距離まで、の長さと設定される。
【００３８】
（３）省電力モード
浴室リモコン５では、タッチパネル５１（タッチセンサ５１１および表示パネル５１２）は動作を停止し、人検知センサ５５は検出動作を継続する。
【００３９】
図６には、線Ｌ１と線Ｌ２で表される２種類の検出出力が示されている。線Ｌ１は、人検知センサ５５の検出出力を示す。線Ｌ１について、中間値ＶＣよりも上方の値は浴室３における一方側の動きがあったことを示し、中間値ＶＣよりも下方の値は浴室３における他方側の動きがあったことを示す。
【００４０】
線Ｌ２は、線Ｌ１によって示される値に基づく、浴室３における人の動きの有無の判定結果を示す。より具体的には、線Ｌ２について、図６の上方に位置する値Ｖ１は、浴室３において人の動きが無いことを示す。下方に位置する値Ｖ２は、浴室３において人の動きが無いことを示す。線Ｌ１の値が中間値ＶＣから一定値以上変化すると、線Ｌ２によって示される値は、値Ｖ１から値Ｖ２へ変化する。線Ｌ２は、たとえば、人検知センサ５５の検出出力を処理する制御部５０によって出力される。
【００４１】
図６に示された例では、時刻Ｔ１まで、人検知センサ５５の検出出力からは人の動きが検出されない。このとき、浴室リモコン５の動作モードは、省電力モードである。
【００４２】
時刻Ｔ１から時刻Ｔ２まではほぼ継続して人の動きが検出されている。より具体的には、時刻Ｔ１から時刻Ｔ２までは、予め定められた期間以上継続して人の動きが検出されない、という事態は生じていない。時刻Ｔ１から時刻Ｔ２までは、浴室リモコン５の動作モードは、通常モードである。
【００４３】
時刻Ｔ２以降、人の動きが検出されていない。浴室リモコン５の動作モードは、時刻Ｔ３で、待機モードへと変更される。時刻Ｔ２から時刻Ｔ３までの時間が、上記「予め定められた時間」である。つまり、時刻Ｔ３で、時刻Ｔ２から予め定められた時間が経過したため、浴室リモコン５の動作モードが待機モードへと変更される。
【００４４】
なお、時刻Ｔ３からさらに特定の時間継続して人の動きが検出されない場合、浴室リモコン５の動作モードは、省電力モードへと変更される。
【００４５】
［７．処理の流れ］
図７は、制御部５０が、人検知センサ５５の検出出力に基づいて浴室リモコン５の動作モードを制御するために実行する処理のフローチャートを示す。
【００４６】
図７に示されるように、ステップＳ１０で、制御部５０は、人検知センサ５５の検出出力に基づいて、人の動きがあるか否かを判断する。制御部５０は、人の動きがあると判断するとステップＳ２０へ制御を進め（ステップＳ１０でＹＥＳ）、人の動きが無いと判断するとステップＳ４０へ制御を進める（ステップＳ１０でＮＯ）。ステップＳ１０で、制御部５０は、システムコントローラ７００に、浴室３において人の動きが検出されたことを示す信号を送信してもよい。
【００４７】
ステップＳ２０で、制御部５０は、動作モードを「通常モード」に設定する。その後、制御はステップＳ３０へ進む。
【００４８】
ステップＳ３０で、制御部５０は、タッチセンサ５１１において静電容量の変化が検出される距離を短いもの（たとえば、タッチパネル５１表面）に設定する。その後、制御はステップＳ１０へ戻る。
【００４９】
ステップＳ４０で、制御部５０は、予め定められた時間（たとえば、１分）継続して、人検知センサ５５の検出出力から人の動きが検出されていないかどうかを判断する。制御部５０は、予め定められた時間継続して人の動きが検出されていない、という事態が生じていないと判断すると（ステップＳ４０でＮＯ）、ステップＳ１０へ制御を戻す。一方、制御部５０は、予め定められた時間継続して人の動きが検出されていないと判断すると（ステップＳ４０でＹＥＳ）、ステップＳ５０へ制御を進める。
【００５０】
ステップＳ５０で、制御部５０は、動作モードを「待機モード」に設定する。その後、制御はステップＳ６０へ進む。
【００５１】
ステップＳ６０で、制御部５０は、タッチセンサ５１１における静電容量の変化が検出される距離を長いもの（たとえば、タッチパネル５１表面から数十センチ程度）に設定する。その後、制御はステップＳ７０へ進む。
【００５２】
ステップＳ７０で、制御部５０は、人の動き及び人の存在があるか否かを判断する。ステップＳ７０において、制御部５０は、人検知センサ５５の検出出力から、人の動きの有無を判断する。制御部５０は、さらに、タッチセンサ５１１の検出出力から、人の存在の有無を判断する。制御部５０は、たとえば、タッチセンサ５１１の静電容量が当該タッチセンサ５１１に付与された静電容量に対して変化が見られた場合、人が存在すると判断する。制御部５０は、人の動きがあるかまたは人の存在があると判断すると（ステップＳ７０でＹＥＳ）、ステップＳ２０へ制御を戻す。このとき、制御部５０は、システムコントローラ７００に、人の動きが検出されたことを示す信号を送信してもよい。つまり、制御部５０は、ステップＳ７０においてタッチセンサ５１１の静電容量において変化が見られた場合、システムコントローラ７００に、人検知センサ５５の検出出力から人の動きがあると判断されたときにシステムコントローラー７００に送信するのと同様の信号を送信し得る。
【００５３】
一方、ステップＳ７０で、人の動きが検出されず、かつ、人の存在が無いと判断した場合、制御部５０は、ステップＳ８０へ制御を進める（ステップＳ７０でＮＯ）。
【００５４】
ステップＳ８０で、制御部５０は、ステップＳ４０で予め定められた時間継続して人の動きが無いと判断された後、さらに、特定の時間（たとえば、９分）継続して、人の動きおよび人の存在のいずれも無いという事態が生じているかどうかを判断する。制御部５０は、特定の時間継続して人の動きまたは人の存在が無いという事態がまだ生じていないと判断すると（ステップＳ８０でＮＯ）、ステップＳ７０へ制御を戻す。一方、制御部５０は、特定の時間継続して人の動きと人の存在の双方が生じていないと判断した場合、ステップＳ９０へ制御を進める（ステップＳ８０でＹＥＳ）。
【００５５】
ステップＳ９０で、制御部５０は、浴室リモコン５の動作モードを省電力モードに設定する。これにより、タッチパネル５１（タッチセンサ５１１および表示パネル５１２）の動作が停止する。その後、制御はステップＳ１００へ進む。
【００５６】
ステップＳ１００で、制御部５０は、人検知センサ５５の検出出力の基づいて、人の動きがあったか否かを判断する。制御部５０は、人の動きがあったと判断するまでステップＳ１００に制御を留める（ステップＳ１００でＮＯ）。一方、制御部５０は、人の動きがあったと判断するとステップＳ２０へ制御を戻す（ステップＳ１００でＹＥＳ）。このとき、制御部５０は、システムコントローラ７００へ、人の動きが検出されたことを示す信号を送信してもよい。ステップＳ２０に制御が戻されることにより、浴室リモコン５の動作モードは通常モードに設定され、これにより、タッチパネル５１（タッチセンサ５１１および表示パネル５１２）の動作が再開する。
【００５７】
以上説明された本実施の形態では、タッチセンサ５１１は、静電容量の変化に基づいてスイッチ操作を検出するように構成された操作検出部を構成する。人検知センサ５５は、人体の動きを検出するように構成された動き検出部を構成する。タッチセンサ５１１は、人検知センサ５５が人体の動きを予め定められた期間検出しなかったことに応じて（ステップＳ４０でＹＥＳ）、上記スイッチ操作を検出するときよりも高い感度で静電容量の変化を検出するように構成されている。これにより、タッチセンサ５１１において人体を含む対象物の存在が検出される。タッチセンサ５１１では、静電容量の変化の検出距離が長いことが、静電容量の変化についての検出感度が高いことに相当する。
【００５８】
本実施の形態において、制御部５０は、人検知センサ５５の検出出力に基づいて人体を含む対象物の動きが検出されたときには、システムコントローラ７００に対して、人体を含む対象物の動きがあったことを示す信号を送信する。さらに、制御部５０は、ステップＳ７０において、タッチセンサ５１１の検出出力から人体を含む対象物の存在がある（タッチパネル５１近傍に人が存在する）と判断した場合にも、システムコントローラ７００に対して、人体を含む対象物の動きがあったことを示す信号を送信する。
【００５９】
本実施の形態において、タッチセンサ５１１と表示パネル５１２は、タッチパネル５１として示されたように一体に構成される必要はない。タッチパネル５１の代わりに、タッチセンサ５１１と表示パネル５１２が分かれて構成されるタッチスイッチタイプの操作装置が採用されてもよい。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
３  浴室、４  浴槽、５  浴室リモコン、７  給湯機、５０  制御部、５１  タッチパネル、５５  人検知センサ、５１１  タッチセンサ、５１２  表示パネル、７００  システムコントローラ。
【図１】
2017198391.tif 000003
【図２】
2017198391.tif 000004
【図３】
2017198391.tif 000005
【図４】
2017198391.tif 000006
【図５】
2017198391.tif 000007
【図６】
2017198391.tif 000008
【図７】
2017198391.tif 000009